(57)【要約】【課題】回転体の回転角度を確実に規制し、回転側ストッパの損傷を防止する。【解決手段】鍔部１２の表面における回転側ストッパ３１の形成位置に相当する位置に、絶縁基板１７に近接するような当接部３２を突出形成した。【選択図】            図２
2004172475.tif 000002
【特許請求の範囲】
【請求項１】
板状の基部を有する筐体と、
前記筐体に対して回転可能に装着された回転側軸部およびこの回転側軸部から外周方向に延設され前記基部に対向するように形成された鍔部を有する回転体と、
摺動子片および前記回転体の回転により前記摺動子片に摺動するように配置された導電パターンと、
前記回転体における鍔部の表面または裏面に形成された回転側ストッパと、
前記筐体のうち前記回転側ストッパに当接する位置に形成された固定側ストッパとを有してなり、
前記鍔部の表面または裏面のいずれか他方における前記回転側ストッパの形成位置に相当する位置に、対向する面に近接するような当接部を突出形成したことを特徴とする回転型電子部品。
【請求項２】
前記摺動子片を半環状に形成して前記基部の表面に装着し、前記導電パターンを前記摺動子片に対向するように配置し、前記当接部を前記基部の表面であって前記摺動子片の装着位置に相当する部分とは異なる位置に形成したことを特徴とする請求項１に記載の回転型電子部品。
【請求項３】
板状の基部を有する筐体と、
前記筐体に対して回転可能に装着された回転側軸部およびこの回転側軸部から外周方向に延設され前記基部に対向するように形成された鍔部を有する回転体と、
摺動子片および前記回転体の回転により前記摺動子片に摺動するように配置された導電パターンと、
前記回転体における鍔部の表面または裏面に形成された回転側ストッパと、
前記筐体のうち前記回転側ストッパに当接する位置に形成された固定側ストッパとを有してなり、
前記筐体のうち前記回転側ストッパが前記固定側ストッパに当接したときの前記回転側ストッパの停止位置に相当する部分に対向する位置に、当接部を突出形成したことを特徴とする回転型電子部品。
【発明の詳細な説明】
【０００１】
【発明の属する技術分野】
本発明は種々の電子部品に用いられる回転型電子部品に関する。
【０００２】
【従来の技術】
従来より、車載用のエアコンディショナー等種々の電子機器をコントロールするための電子部品として回転型エンコーダ等の回転型電子部品が用いられている。
【０００３】
このような従来の回転型電子部品について説明すると、図９に示すように、前記回転型電子部品４１は、基部４７と、前記基部４７から軸方向上方に延設された固定側軸部４８と、前記基部４７から軸方向上方に延設された側壁部４９と、を有する固定体４２を備えており、この基部４７の表面には、摺動子片５３が装着されている。
【０００４】
また、前記回転型電子部品４１は、前記固定側軸部４８に対して回転可能に装着された回転側軸部５１を有する回転体４３を備えており、この回転体４３には、導電パターン５０が前記摺動子片５３に対向するように固着されている。さらに、前記回転体４３には、前記回転側軸部５１から外方向に突出するように回転側ストッパ４４が形成されているとともに、クリック用部材（図示せず）が固着されている。
【０００５】
さらにまた、前記回転型電子部品４１は、前記クリック用部材に対向するように配置されたクリック用溝（図示せず）が形成された固定板５６を有し、この固定板５６の底面には、下方に突出するように固定側ストッパ４５が形成されている。そして、前記固定体４２とこの固定板５６とにより筐体を構成している。
【０００６】
このような回転型電子部品４１は、前記回転体４３を回転させて、前記回転側ストッパ４４を前記固定側ストッパ４５の形成位置まで移動させると、前記回転側ストッパ４４の側面が前記固定側ストッパ４５の側面に当接して前記回転体４３の回転が停止する。これにより、前記回転型電子部品４１においては、回転体４３の回転角度が規制されるようになっていた（例えば、特許文献１）。
【０００７】
【特許文献１】
特開２００１−２４３８４８号公報
【０００８】
【発明が解決しようとする課題】
しかし、前記回転体４３が絶縁材等の合成樹脂材料の柔軟な材料によって構成されている場合、前記回転側ストッパ４４は、変形し、さらに前記回転体４３を回転させようとして大きな力を加えると前記固定側ストッパ４５に乗り上げてしまうおそれがあった。このような場合には、前記固定側ストッパ４５および前記回転側ストッパ４４によるストッパ強度が低下してしまい前記回転体４３の回転角度を十分に規制することができないことがあった。また、前記回転側ストッパ４４は、前記固定側ストッパ４５に乗り上げたことによる変形によって損傷してしまうおそれがあるという問題を有していた。
【０００９】
本発明はこれらの点に鑑みてなされたものであり、回転体の回転角度を確実に規制し、回転側ストッパの損傷を防止することができる回転型電子部品を提供することを目的とする。
【００１０】
【課題を解決するための手段】
前記目的を達成するため、本発明に係る回転型電子部品は、板状の基部を有する筐体と、前記筐体に対して回転可能に装着された回転側軸部およびこの回転側軸部から外周方向に延設され前記基部に対向するように形成された鍔部を有する回転体と、摺動子片および前記回転体の回転により前記摺動子片に摺動するように配置された導電パターンと、前記回転体における鍔部の表面または裏面に形成された回転側ストッパと、前記筐体のうち前記回転側ストッパに当接する位置に形成された固定側ストッパとを有してなり、前記鍔部の表面または裏面のいずれか他方における前記回転側ストッパの形成位置に相当する位置に、対向する面に近接するような当接部を突出形成したことを特徴とする。
【００１１】
この本発明に係る回転型電子部品によれば、回転側ストッパが固定側ストッパに当接して鍔部および回転側ストッパが上方または下方に移動したときであっても当接部が対向する面に当接するので、鍔部および回転側ストッパがこれ以上移動することはない。これにより、前記鍔部および前記回転側ストッパが変形してしまうのを防止することができる。
【００１２】
また、本発明に係る他の回転型電子部品は、前記摺動子片を半環状に形成して前記回転体における基部の表面に装着し、前記導電パターンを前記摺動子片に対向するように配置し、前記当接部を前記基部の表面であって前記摺動子片の装着位置に相当する部分とは異なる位置に形成したことを特徴とする。
【００１３】
この本発明に係る他の回転型電子部品によれば、当接部は、鍔部の表面における摺動子片の装着位置に相当する部分とは異なる位置に形成されているので、当接部を摺動子片の装着位置の外周部分に相当する位置に形成する場合と比較して、鍔部の径を小さく形成することができる。
【００１４】
さらに、本発明に係る他の回転型電子部品は、板状の基部を有する筐体と、前記筐体に対して回転可能に装着された回転側軸部およびこの回転側軸部から外周方向に延設され前記基部に対向するように形成された鍔部を有する回転体と、摺動子片および前記回転体の回転により前記摺動子片に摺動するように配置された導電パターンと、前記回転体における鍔部の表面または裏面に形成された回転側ストッパと、前記筐体のうち前記回転側ストッパに当接する位置に形成された固定側ストッパとを有してなり、前記筐体のうち前記回転側ストッパが前記固定側ストッパに当接したときの前記回転側ストッパの停止位置に相当する部分に対向する位置に、当接部を突出形成したことを特徴とする。
【００１５】
この本発明に係る他の回転型電子部品によれば、回転側ストッパが固定側ストッパに当接して鍔部および回転側ストッパが上方または下方に移動したときであっても、当接部が鍔部における回転側ストッパの停止位置に相当する部分に当接するので、前記鍔部および前記回転側ストッパがこれ以上移動することはない。これにより、前記鍔部および前記回転側ストッパが変形してしまうのを防止することができる。
【００１６】
【発明の実施の形態】
以下、本発明に係る回転型電子部品の実施形態を図１から図８を参照して説明する。ここで、本実施形態においては、回転型電子部品として回転型エンコーダを用いて説明する。
【００１７】
図１は、回転型エンコーダの一実施形態を示す平面図であり、図２は、図１に示す回転型エンコーダを示すＡ−Ａにおける断面側面図である。
【００１８】
図１および図２に示すように、回転型エンコーダ１は、絶縁材である合成樹脂等の材料によって構成された固定体２を有する。この固定体２は、図３および図４に示すように、平面形状が略八角形状であって内側に円形状の貫通孔３を有する板状の基部４と、この基部４における前記貫通孔３の外縁を基端として軸方向上方に延設された固定側軸部としての固定側筒部５と、前記基部４の外縁を基端として軸方向上方に前記固定側筒部５よりも短い高さ寸法によって延設された側壁部６とを備えている。この固定体２における基部４の表面には、位置決め用の２つの小突起２７が突設されている。また、前記側壁部６の表面縁には、位置決め用の２つの小突起７が突設されており、この側壁部４における内面の下端部分の一部分には、前記固定側筒部５の方向に突出するように固定側ストッパ２８が形成されている。
【００１９】
また、前記固定体２における基部４の表面には、クリック用部材としての環状のクリック用板ばね８が装着されている。このクリック用板ばね８の外周縁における前記各小突起２７の形成位置に対応する位置には、突部（図示せず）が外方向に突設されており、またこれら各突部には、位置決め用孔（図示せず）が前記各小突起２７に対応するように形成されている。そして、前記クリック用板ばね８は、前記固定体２の基部４に形成された各小突起２７と前記各位置決め用孔とを嵌合させることにより、前記固定体２の基部４の表面に固定されるようになっている。
【００２０】
さらに、前記回転型エンコーダ１は、絶縁材である合成樹脂等の材料によって構成された回転体１０を有する。この回転体１０は、図５ないし図７に示すように、前記固定側筒部５の外側に回転可能に装着された回転側軸部としての回転側筒部１１と、この回転側筒部１１の一端縁から前記回転側筒部１１の軸を中心として外方向に前記固定側筒部１１に対して直交する角度によって延設された鍔部１２とを備えている。この鍔部１２は、前記固定体２の表面であって前記側壁部６の内側に嵌る程度の大きさに形成されている。また、この鍔部１２の裏面には、複数のクリック用溝１３が形成されており、この鍔部１２の裏面における外周部分の一部分であって前記クリック用板ばね８が接しない位置には、前記クリック用溝１３の外側に位置して下方に突出するように回転側ストッパ３１が形成されている。さらに、この鍔部１２の表面には、４つの小突起３０が突設されており、この鍔部１２の表面における前記回転側ストッパ３１の形成位置に対応する位置には、上方に突出するように当接部３２が形成されている。これによって、前記鍔部１２の所定位置の表面には、前記当接部３２が形成され、該所定位置の裏面には回転側ストッパ３１が形成され、平面視した場合に前記当接部３２と前記回転側ストッパ３１とがオーバーラップするように配置されている。
【００２１】
さらにまた、前記回転体１０における鍔部１２の表面には、半環状の摺動子片１５が装着されており、前記当接部３２は、この摺動子片１５の装着位置とは異なる位置に形成されるようになっている。また、この摺動子片１５における前記鍔部１２の各小突起に対応する位置には、それぞれ位置決め用孔（図示せず）が形成されている。そして、前記摺動子片１５は、前記回転体１０の各小突起と前記各位置決め用孔とを嵌合させることにより、前記回転体１０の鍔部１２の表面に固定されるようになっている。
【００２２】
また、前記回転型エンコーダ１は、前記固定体２の基部４と同じ大きさの平面形状が略八角形状の絶縁基板１７を有し、前記回転体１０の当接部３２は、その表面がこの絶縁基板１７の裏面に近接する程度の突出寸法に形成されている。さらに、前記絶縁基板１７の内側には、前記回転体１０における回転側筒部１１の外面に嵌る大きさの貫通孔１８が形成されており、前記絶縁基板１７の裏面には、導電パターン１９が形成されている。さらにまた、前記絶縁基板１７における前記固定体２の側壁部６に突設された各小突起７に対応する位置には、それぞれ位置決め用孔２０が形成されている。そして、この絶縁基板１７は、前記固定体２の側壁部６に形成された各小突起７と前記各位置決め用孔２０とを嵌合させることにより、前記固定体２の側壁部６の表面に固定されるようになっており、この状態において前記回転体１０を回転させたとき、前記導電パターン１９が前記摺動子片１５に摺接されるようになっている。そして、この絶縁基板１７と前記固定体２とによって、本発明に係る回転型電子部品における筐体を構成するようになっている。
【００２３】
さらに、前記回転型エンコーダ１は、金属板により構成された枠体２２を有しており、この枠体２２は、前記回転体１０の回転側筒部１１の外面に嵌含する大きさの略環状の枠本体２３と、前記枠本体２３の外周縁から下方に延設される複数の（本実施形態においては６つの）取付部２４と、前記枠本体２３の外周縁から下方に延設される複数の端子２５とを備えている。これら複数の取付部２４のうち２つの取付部２４ａ，２４ｂは、前記枠体２２が前記回転側筒部１１の外側に嵌めるように装着されて前記各取付部２４により前記固定体２と、前記回転体１０と、前記絶縁基板１７とを一体に保持するとき、前記固定体２における固定側ストッパ２８の両端部に近接する位置に形成されている。
【００２４】
そして、この回転型エンコーダ１は、前記枠体２２の各取付部２４により種々の電子機器に取り付けられるようになっている。
【００２５】
次に、本実施形態の作用について説明する。
【００２６】
まず、本回転型エンコーダ１は、回転体１０を回転させると、各クリック溝１３が固定体２に固定されたクリック用板ばね８に摺動される。これとともに、前記回転体１０に固定された摺動子片１５は、前記固定体１０とともに回転して絶縁基板１７の導電パターン１９に摺動される。これにより、前記回転型エンコーダ１は、回転トルクを生じさせるとともに所定のクリック感を生じさせる。
【００２７】
そして、このように前記回転体１０を回転させると、回転側ストッパ３１は、前記回転体１０の回転により回転し、前記固定体２における固定側ストッパ２８の形成位置まで到達したとき、その側面が前記固定側ストッパ２８の側面に当接する。そして、さらに前記回転体１０を回転させようとして大きな力を加えると、前記回転体１０の鍔部１２は少しだけ上方に浮き上がり、前記当接部３２は、図８に示すように、前記絶縁基板１７の裏面に当接する。これにより、前記鍔部１２および前記回転側ストッパ３１は、これ以上浮き上がることはない。そして、前記回転型エンコーダ１は、前記回転側ストッパ３１が前記固定側ストッパ２８に当接したことにより、前記回転体１０の回転角度を規制する。
【００２８】
本実施形態によれば、前記回転側ストッパ３１の側面が前記固定側ストッパ２８の側面に当接したとき、前記当接部３２が前記絶縁基板１７の裏面に当接するので、前記鍔部１２および前記回転側ストッパ３１がこれ以上上方に浮き上がることはなく、これにより前記鍔部１２および前記回転側ストッパ３１が変形してしまうのを防止することができる。
【００２９】
したがって、このように前記鍔部１２および前記回転側ストッパ３１の変形を防止することにより、前記鍔部１２および前記回転側ストッパ３１の損傷を防止することができ、この結果、前記回転型エンコーダ１のストッパ強度を高めることができる。
【００３０】
また、前記鍔部１２および前記回転側ストッパ３１が上方に浮き上がることはないので、前記回転側ストッパ３１が前記固定側ストッパ２８に乗り上げてしまうのを防止することができ、これにより、前記回転型エンコーダ１は、前記回転体１０の回転角度を確実に規制することができる。
【００３１】
さらに、当接部３２は、前記鍔部１２の表面における前記摺動子片１５の装着位置に相当する部分とは異なる位置に形成されているので、前記当接部３２を前記摺動子片１５の装着位置の外周部分に相当する位置に形成する場合と比較して、前記鍔部１２の径を小さく形成することができる。また、本実施形態によれば、前記摺動子片１５が前記当接部３２に当接することはないので、例えば前記当接部を前記固定体に形成する場合に前記摺動子片が前記当接部に当接しないように前記当接部を前記摺動子片の回転経路に相当する位置とは異なる部分、すなわち異なる半径に形成する場合と比較して、前記鍔部１２の径を小さくすることができる。この結果、回転型エンコーダ１の外径寸法を小さくすることができる。
【００３２】
さらにまた、枠体２２の各取付部２４ａ，２４ｂは、前記固定側ストッパ２８の両端部に近接する位置に形成されているので、絶縁基板１７における前記固定側ストッパ２８の形成位置に相当する部分を、前記各取付部２４ａ，２４ｂによって前記固定体２に確実に押さえつけることができる。このため、前記回転体１０の当接部３２が前記絶縁基板１７における前記固定側ストッパ２８の形成位置に相当する部分の裏面に当接したときであっても、前記絶縁基板１７自体が上方に浮き上がるのを防止することができる。これにより、前記絶縁基板１７とともに前記回転体１０の鍔部１２および前記回転側ストッパ３１が上方に浮き上がることを防止することができるので、前記鍔部１２および前記回転側ストッパ３１の損傷を確実に防止することができるとともに、前記回転体１０の回転角度を確実に規制することができる。
【００３３】
さらに、当接部３２と回転側ストッパ３１とは、回転体１０を平面視した場合にオーバーラップする位置に形成されている。このため、例えば当接部３２と回転側ストッパ３１とが離間して配置された場合には、前記当接部３２と前記回転側ストッパ３１との間の鍔部１２が撓んでしまい当接部３２が回転側ストッパ３１の上方への移動を十分に規制することができないおそれがあるが、本実施形態においては、前記当接部３２によって確実に前記回転側ストッパ３１の上方への移動を規制することができる。
【００３４】
なお、本発明は前記実施形態に限定されるものではなく、必要に応じて種々変更することが可能である。
【００３５】
例えば、本実施形態においては、クリック用板ばね８が固定体２における基部４の表面に装着され、各クリック用溝１３が回転体１０における鍔部１２の裏面に形成されており、また、摺動子片１５が前記鍔部１２の表面に装着され、導電パターン１９が絶縁基板１７の裏面に形成されているが、これに限定されるものではない。例えば、導電パターンが固定体における基部の表面に形成され、摺動子片が鍔部の裏面に装着されており、各クリック用溝が鍔部の表面に形成され、クリック用部材が前記各クリック用溝に対向するように装着されるものであってもよい。
【００３６】
また、当接部３２は、回転体１０における鍔部１２の表面であって回転側ストッパ３１の形成位置に対応する位置に形成されているが、これに限定されるものではない。例えば、固定体における側壁部の内面の上端部分であって回転側ストッパが固定側ストッパに当接したときの前記回転側ストッパの停止位置の上方に相当する位置に固定側筒部の方向に突出するように形成されるものであってもよいし、また絶縁基板に形成されるものであってもよい。
【００３７】
さらに、固定側ストッパ２８は固定体２における側壁部６の下端部分に形成され、回転側ストッパ３１は回転体１０における鍔部１２の裏面に形成されているが、これに限定されず、固定側ストッパを側壁部の上端部分に形成し、回転側ストッパを鍔部の表面に形成してもよい。このとき、当接部は、鍔部の裏面における回転側ストッパの形成位置に相当する位置、または側壁部の下端部分であって回転側ストッパが固定側ストッパに当接したときの前記回転側ストッパの停止位置の下方に相当する位置に形成される。
【００３８】
さらにまた、本実施形態における回転型エンコーダ１は、中空型のものであるが、これに限定されるものではなく、例えば、固定体における基部の中央に貫通孔を設け、回転体と前記貫通孔と絶縁基板の貫通孔とに軸を挿通して保持するようにしてもよい。
【００３９】
さらに、本実施形態においては回転型電子部品として回転型エンコーダ１用いて説明したが、これに限定されず、例えば可変抵抗器に適用してもよい。その場合には、抵抗対パターンによって導電パターンを形成すればよい。
【００４０】
【発明の効果】
以上述べたように、本発明に係る回転型電子部品によれば、鍔部および回転側ストッパの変形を防止することにより、鍔部および回転側ストッパの損傷を防止することができるので、回転型エンコーダの寿命を長くすることができる。また、回転側ストッパが固定側ストッパに乗り上げてしまうのを防止することができ、これにより、回転型エンコーダは、回転体の回転角度を確実に規制することができる。
【００４１】
また、本発明に係る他の回転型電子部品によれば、鍔部の径を小さくすることができ、この結果、回転型エンコーダの外径寸法を小さくすることができる。
【００４２】
さらに、本発明に係る他の回転型電子部品によれば、鍔部および回転側ストッパの変形を防止することにより、鍔部および回転側ストッパの損傷を防止することができるので、回転型エンコーダの寿命を長くすることができる。また、回転側ストッパが固定側ストッパに乗り上げてしまうのを防止することができ、これにより、回転型エンコーダは、回転体の回転角度を確実に規制することができる。
【図面の簡単な説明】
【図１】本発明に係る回転型電子部品の一実施形態を示す平面図
【図２】図１に示す回転型電子部品を示すＡ−Ａにおける断面側面図
【図３】図１に示す回転型電子部品をにおける固定体を示す平面図
【図４】図３に示す固定体を示すＢ−Ｂにおける断面側面図
【図５】図１に示す回転型電子部品における回転体を示す底面図
【図６】図５に示す回転体を示す平面図
【図７】図５に示す回転体を示すＣ−Ｃにおける断面側面図
【図８】図１に示す回転型電子部品における固定側ストッパと回転側ストッパとが当接した場合を示す断面概略図
【図９】従来の回転型電子部品における固定側ストッパと回転側ストッパとが当接した場合を示す断面概略図
【符号の説明】
１  回転型エンコーダ
２  固定体
４  基部
５  固定側筒部
６  側壁部
８  クリック用板ばね
１０  回転体
１１  回転側筒部
１２  鍔部
１３  クリック用溝
１５  摺動子片
１７  絶縁基板
１９  導電パターン
２２  枠体
２３  枠本体
２４  取付部
２８  固定側ストッパ
３１  回転側ストッパ
３２  当接部
【図１】
2004172475.tif 000003
【図２】
2004172475.tif 000004
【図３】
2004172475.tif 000005
【図４】
2004172475.tif 000006
【図５】
2004172475.tif 000007
【図６】
2004172475.tif 000008
【図７】
2004172475.tif 000009
【図８】
2004172475.tif 000010
【図９】
2004172475.tif 000011